(57)【要約】【課題】処方された薬を一服用分ずつピルケースに収容する際のヒューマンエラーを最小限に抑制可能な薬収容装置の管理システムの提供を目的とする。【解決手段】制御装置７０は、一服用分の薬を収容するピルケース２０を複数備えた薬収容装置１０の管理システムを構成するものである。制御装置７０は、処方された薬に関する情報が処方情報として入力される入力部７２と、処方情報に基づいてピルケース２０のそれぞれに収容する薬の量を導出する導出部７４と、導出部７４により導出された薬の量を報知する収容量報知部７６とを備えている。これにより、各ピルケース２０に収容させる薬の量を間違えてしまうといったヒューマンエラーを最小限に抑制できる。【選択図】図４
2016123804.tif 000002
【特許請求の範囲】
【請求項１】
一服用分又は同じ飲み方をする複数服用分の薬を収容するピルケースを複数備えた薬収容装置の管理システムであって、
処方された薬に関する情報が処方情報として入力される入力部と、
前記処方情報に基づいて前記ピルケースのそれぞれに収容する薬の量を導出する導出部と、
前記導出部により導出された薬の量を報知する収容量報知部と、
を備えていること、
を特徴とする薬収容装置の管理システム。
【請求項２】
前記ピルケースが、所定の識別子に基づいて特定可能とされており、
前記識別子が入力される識別子入力部と、
前記識別子入力部に識別子が入力されることを条件として、入力された識別子に該当する前記ピルケースに収容されている薬の種類及び服用数又は一度に飲む薬の種類及び服用数を報知する服用情報報知部と、
を備えていること、
を特徴とする請求項１に記載の薬収容装置の管理システム。
【請求項３】
処方された薬の服用開始日を入力する服用開始日入力部と、
前記服用開始日及び前記処方情報に基づいて、収容されている薬の残量を報知する残量報知部と、
を備えていること、
を特徴とする請求項１又は２に記載の薬収容装置の管理システム。
【請求項４】
前記残量報知部が、収容されている薬の残量が所定量を下回ることを条件として警告を行うこと、
を特徴とする請求項３に記載の薬収容装置の管理システム。
【発明の詳細な説明】
【技術分野】
【０００１】
本発明は、服用すべき薬を一服用分ずつ、又は同じ飲み方をする薬を複数服用分ずつ分けて収容可能な薬収容装置の管理システムに関する。
【背景技術】
【０００２】
従来、下記特許文献１に開示されているように、一回分として服用すべき医療用薬剤などを服用分毎にまとめて収納しておき、服用量や服用回数を間違えずに管理するための医療用薬剤の収納容器が提供されている。この収容容器は、複数に区分けされた薬剤収納部を有する基体と、薬剤収納部を閉塞するための蓋とを有し、薬剤収納部に１種ないし２種以上の医療用薬剤を１回に服用すべき分毎に収納しておくことができる。
【先行技術文献】
【特許文献】
【０００３】
【特許文献１】実用新案登録第３０１８７９９号公報
【発明の概要】
【発明が解決しようとする課題】
【０００４】
しかしながら、上述した従来技術の収納容器においては、各薬剤収納部にどの薬剤をどれだけ収容すれば良いのかを確認しつつ収容作業を行う必要がある。各薬剤収納部に収容する薬剤の種類や数量を取り違えるといったヒューマンエラーが生じると、医療事故に繋がる可能性もある。そのため、前述したようなヒューマンエラーを最小限に抑制可能な管理システムの提供が求められている。上述した技術を利用する以外に、一般的に薬は複数服用分まとめて管理されることも多く、そうしたケースでは、その中のどの薬をどれだけ飲めば良いかが直感的にわかりにくく、誤飲につながる可能性がある。また薬管理一般の問題として、継続して薬を飲み続ける場合、薬切れのタイミングを知らせてくれる仕組みはなく、自己管理に任されているのが実態で間違えも生じやすい。
【０００５】
そこで本発明は、処方された薬を一服用分ずつピルケースに収容する際のヒューマンエラーを最小限に抑制可能で、日々飲む薬の種類と量がよくわかり、薬切れを知らせてくれる薬収容装置の管理システムの提供を目的とした。
【課題を解決するための手段】
【０００６】
上述した課題を解決すべく提供される本発明は、
一服用分又は同じ飲み方をする薬を複数服用分の薬を収容するピルケースを複数備えた薬収容装置の管理システムであって、
処方された薬に関する情報が処方情報として入力される入力部と、
前記処方情報に基づいて前記ピルケースのそれぞれに収容する薬の量を導出する導出部と、
前記導出部により導出された薬の量を報知する収容量報知部と、
を備えていること、
を特徴とする薬収容装置の管理システムである。
【０００７】
上述した本発明の薬収容装置の管理システムは、
前記ピルケースが、所定の識別子に基づいて特定可能とされており、
前記識別子が入力される識別子入力部と、
前記識別子入力部に識別子が入力されることを条件として、入力された識別子に該当する前記ピルケースに収容されている薬の総量及び、その中のうち服用すべき薬の種類及び服用数を報知する服用情報報知部と、
を備えているものであっても良い。
【０００８】
上述した本発明の薬収容装置の管理システムは、
処方された薬の服用開始日を入力する服用開始日入力部と、
前記服用開始日及び前記処方情報に基づいて、収容されている薬の残量を報知する残量報知部と、
を備えたものであっても良い。
【０００９】
上述した本発明の薬収容装置の管理システムは、
前記残量報知部が、収容されている薬の残量が所定量を下回ることを条件として警告を行うものであっても良い。
【発明の効果】
【００１０】
本発明の薬収容装置の管理システムは、入力部に入力された処方情報に基づき、複数設けられたピルケースのそれぞれに対して収容させる薬の量が導出部において導出されると共に、収容量報知部により報知される。これにより、各ピルケースに収容させる薬の量を間違えてしまうといったヒューマンエラーを最小限に抑制できる。
【００１１】
また、本発明の薬収容装置の管理システムは、ピルケースを特定するための識別子を識別子入力部に入力することを条件として服用情報報知部が機能し、入力された識別子に該当するピルケースに収容されている薬の総量及びその中のうち服用すべき薬の種類及び服用数が報知される。そのため、使用者は、薬の種類や数量を取り違えることなく、正確に服用することができる。
【００１２】
また、本発明の薬収容装置の管理システムは、服用開始日入力部に処方された薬の服用開始日を入力すると、服用開始日及び処方情報に基づいて導出された薬の残量が残量報知部によって報知される。そのため、使用者は、薬収容装置における薬の残量を容易かつ正確に管理することができる。
【００１３】
また、本発明の薬収容装置の管理システムは、収容されている薬の残量が所定量を下回ることを条件として残量報知部によって警告が行われる。これにより、薬収容装置において薬の在庫がなくなる前に、薬の補充等の作業を行うよう促すことができる。
【図面の簡単な説明】
【００１４】
【図１】本発明の一実施形態に係る薬収容装置を模式的に示した斜視図である。
【図２】図１の薬収容装置に用いられているピルケースを模式的に示した斜視図である。
【図３】図１の薬収容装置の動作テーブルである。
【図４】図１の薬収容装置が備える制御装置の構成を示したブロック図である。
【発明を実施するための形態】
【００１５】
続いて、本発明の薬収容装置の好ましい実施形態を、図面を参照しながら詳細に説明する。
【００１６】
薬収容装置１０について説明する。図２に示すように、薬収容装置１０は、複数のピルケース２０と、筐体８０とを備えている。薬収容装置１０は、ピルケース２０を所定方向に積み重ねて一体化されたものであり、循環方向先頭側にあるピルケース２０を切り離した後薬を取り出し、循環方向末端側に再接続して使用するものである。本実施形態の薬収容装置１０は、上下方向に積層されたピルケース２０のうち、最も上層側のものを取り出し、薬を取り出した後最下層側に接続する使用形態で使用する。そのため、薬収容装置１０においては、ピルケース２０が下層側から上層側に移動し、最上層から最下層に戻る循環経路でピルケース２０を循環させる使用形態で使用される。積層されたピルケースが、ピルケース列だけで必要なもののみ取り外し可能となる場合、筐体８０はなくても良い。
【００１７】
図２に示すように、ピルケース２０は、ケース本体３０と、検知装置４０と、連結機構５０と、閉止機構６０と、制御装置７０とを備えている。
【００１８】
ケース本体３０は、薬を一パターン分（一服用分又は同じ飲み方をする複数服用分）ずつ収容するためのものである。ケース本体３０は、外観が略直方体であって中空の箱体によって構成されている。ケース本体３０の天面３２、及び底面３４は、使用時に他のピルケース２０の底面３４や天面３２に面接触する部分である。
【００１９】
検知装置４０は、隣接する他のピルケース２０の存在を検知するためのものである。検知装置４０は、ケース本体３０の天面３２側に設けられた天面側センサ４２と、底面３４側に設けられた底面側センサ４４とを有する。
【００２０】
連結機構５０は、隣接するピルケース同士を連結するための機構である。連結機構５０は、天面３２に設けられた天面側連結部５２と、底面３４側に設けられた底面側連結部５５とを有する。天面側連結部５２は、天面３２から上方に向けて突出した凸部５３を有する。また、凸部５３には、ピン挿通孔５４が凸部５３の突出方向に対して交差する方向に形成されている。
【００２１】
底面側連結部５５は、凹部５６と連結ピン５８とを有する。凹部５６は、他のピルケース２０に設けられた凸部５３を挿入可能な大きさ及び形状とされている。そのため、ピルケース２０を複数重ね合わせた際に、下方に位置するピルケース２０の天面３２に設けられた凸部５３が、凹部５６に挿入された状態になる。また、連結ピン５８は、制御装置７０の制御に基づいて進退可能とされたピンである。連結ピン５８は、凹部５６内に挿入された凸部５３に設けられているピン挿通孔５４に対して進入可能とされている。そのため、下層側に配置されるピルケース２０の凸部５３を上層側に配置されるピルケース２０の凹部５６に挿入すると共に、連結ピン５８をピン挿通孔５４内に進入させることにより、上下方向に積層されたピルケース２０，２０を連結することができる。
【００２２】
閉止機構６０は、ピルケース２０のケース本体３０を閉止するための機構である。閉止機構６０は、後述の制御装置７０によって動作制御される。
【００２３】
制御装置７０は、スイッチ機能を有するものであり、このスイッチを切ると（電池切れの場合も含む。）、連結機構５０がオフになり閉止機構６０がオフになり、非常時のピルケース２０の取り外しと、薬の取り出しがいつでも可能になる。ピルケース２０の列の初期状態を作るときには、制御装置７０はスイッチオフ状態から開始し、順番にスイッチをオンにしながら、ピルケース２０を積み上げていく。
【００２４】
また、制御装置７０は、検知装置４０による検知状態に応じて連結機構５０によるピルケース２０，２０の連結を電気的に制御（連結制御）することができる。すなわち、ピン挿通孔５４に対する連結ピン５８の進退を制御装置７０によって連結制御することにより、上下方向に積層されたピルケース２０，２０の連結状態を制御することができる。また、制御装置７０は、閉止機構６０を制御することにより、ピルケース２０の開閉制御を行うことができる。
【００２５】
制御装置７０は、上下方向に積層された複数のピルケース２０のうち、最上層に位置するピルケース２０について他のピルケース２０との連結を解除する制御を行う。また、連結機構５０による連結が解除されることを条件として、連結解除されたピルケース２０について閉止機構６０の作動を解除し、薬を取り出し可能とする。一方、最上層のものを除く他のピルケース２０については、連結機構５０により互いに連結された状態とすると共に、閉止機構６０により薬を取り出し不可能な状態とされる。
【００２６】
具体的には、制御装置７０は、図３に示した動作テーブルに則って各ピルケース２０について連結機構５０及び閉止機構６０の動作制御を行う。さらに詳細に説明すると、天面側センサ４２がオフ状態であり、底面側センサ４４がオン状態である場合は、制御対象であるピルケース２０が最上層に位置している。この場合には、連結機構５０をオフ状態として下方に隣接する他のピルケース２０と連結を解除させる。また、この状態においては、未だ最上層のピルケース２０が上層側のピルケース２０から切り離されていないため、閉止機構６０はオン状態のままとされ、薬の取り出しが不可能な状態のままとされる。
【００２７】
また、天面側センサ４２がオン状態であり、底面側センサ４４がオン状態である場合は、制御対象であるピルケース２０が中間層に位置している。この場合には、連結機構５０をオン状態として隣接する他のピルケース２０と連結させると共に、閉止機構６０をオン状態として薬を取り出し不可能な状態とする。
【００２８】
天面側センサ４２がオン状態であり、底面側センサ４４がオフ状態である場合は、制御対象であるピルケース２０が最下層に位置しており、下層側に他のピルケース２０を連結させる必要がない。そのため、連結機構５０（連結ピン５８）を作動させる必要がなく、連結機構５０がオフ状態とされる。また、この状態においては、閉止機構６０がオン状態とされ、薬の取り出しが不可能な状態とされる。
【００２９】
また、天面側センサ４２がオフ状態であり、底面側センサ４４もオフ状態である場合は、制御対象であるピルケース２０が他のピルケース２０から切り離された状態にある。この場合、制御装置７０は、直前の状態に基づいて連結機構５０及び閉止機構６０の動作制御を行う。ピルケース２０が３つ以上連結されている場合は、直前の状態は最上層に存在していた場合のみである。しかし、ピルケース２０が２つ連結されている場合は、上のピルケース２０が外れると、下のピルケース２０も一つだけ切り離された状態になるので、直前の状態として、最上層と、最下層、の２通りを考慮する。
【００３０】
具体的には、制御対象であるピルケース２０が他のピルケース２０から切り離される直前において、天面側センサ４２がオン状態であり、底面側センサ４４がオフ状態である場合、すなわち直前において制御対象のピルケース２０が最下層に存在していた場合には、連結機構５０がオフ状態とされると共に、閉止機構６０がオン状態とされ、薬の取り出しが規制される。一方、天面側センサ４２がオフ状態であり、底面側センサ４４がオン状態である場合、すなわち直前において制御対象のピルケース２０が最上層に存在していた場合には、連結機構５０がオン状態とされると共に、閉止機構６０がオフ状態とされ、薬を取り出し可能な状態とされる。連結されていない状態で連結機構５０がオン状態となると、底面の凹部５６がロックされ、そのピルケース２０の下には、他のピルケース２０が連結できない状態となり、ピルケース２０の循環が実現できる。ロックされたピルケース２０は最下層に回らなくてはならない。
【００３１】
制御装置７０は、上述した連結制御や開閉制御に加えて、薬の量や種類に関する管理のための制御（管理制御）を行うことができる。図４に示すように、制御装置７０は、管理制御を行うための具体的構成として、入力部７２、導出部７４、収容量報知部７６、識別子入力部７８、服用情報報知部８０、服用開始日入力部８２、及び残量報知部８４を備えている。
【００３２】
入力部７２は、医師や薬剤師によって処方された薬に関する情報が処方情報として入力される部分である。入力部７２は、処方箋情報を電子データの状態で受信することにより自動入力可能なものや、使用者が手動で入力可能なもの等、適宜のものとすることができる。また、導出部７４は、入力部７２に入力された処方情報に基づいて各ピルケース２０に収容すべき薬の量を導出することができる。収容量報知部７６は、導出部７４により導出された各ピルケース２０に収容すべき薬用の量を報知できる。そのため、入力部７２に処方情報が入力されると、各ピルケース２０に収容すべき薬の量が自動的に導出され、報知される。従って、収容量報知部７６によって報知された通りに各ピルケース２０に薬を準備するだけで、処方通りに薬を準備することができる。これにより、各ピルケース２０に収容させる薬の量を間違えてしまうといったヒューマンエラーを最小限に抑制できる。
【００３３】
識別子入力部７８は、使用者が各ピルケース２０に付された識別子３６を入力するためのものである。また、服用情報報知部８０は、識別子入力部７８に識別子３６が入力されることを条件として、入力された識別子３６に該当するピルケース２０に収容されている薬の種類及び服用数を報知する。そのため、使用者は薬を服用する前に識別子入力部７８に識別子３６を入力することにより薬の種類及び服用数を確認することができる。これにより、使用者は薬の種類や数量を取り違えることなく正確に服用することができる。
【００３４】
服用開始日入力部８２は、処方された薬の服用開始日を入力するためのものである。また、残量報知部８４は、服用開始日入力部８２に入力された服用開始日、及び入力部７２に入力された処方情報に基づいて、収容されている薬の残量を報知できる。これにより、使用者は、薬の残量を容易かつ正確に管理することができる。また、残量報知部８４は、各ピルケース２０に収容されている薬の残量が所定量を下回ることを条件として薬の補充を行うよう警告を出す。これにより、薬の在庫がなくなる前に、補充作業を行うよう促すことができる。
【００３５】
以上、本発明の代表的な実施形態について説明したが、特許請求の範囲に記載された本発明の技術的思想の範囲内で種々の設計変更が可能であり、それらは全て本発明に含まれるものである。
【００３６】
なお、本実施形態では、各ピルケース２０に設けられた制御装置７０を薬収容装置１０の管理システムとして利用する例を示したが、本発明はこれに限定されるものではなく、薬収容装置１０全体を統括するコンピュータ等を管理システムとして用いても良い。
【産業上の利用可能性】
【００３７】
本発明は、複数回分に亘って服用する薬を収容しておくための薬収容装置全般において好適に利用できる。
【符号の説明】
【００３８】
１０  薬収容装置
２０  ピルケース
３６  識別子
７０  制御装置（管理システム）
７２  入力部
７４  導出部
７６  収容量報知部
７８  識別子入力部
８０  服用情報報知部
８２  服用開始日入力部
８４  残量報知部
【図１】
2016123804.tif 000003
【図２】
2016123804.tif 000004
【図３】
2016123804.tif 000005
【図４】
2016123804.tif 000006